(57)【要約】【課題】  化学的処理を伴う理・美容処理により低下する毛髪のパーマネントウェーブ形成能を診断する方法、および毛髪のパーマネントウェーブ形成能を修復・改善する為の毛髪処理方法、並びにこうした毛髪処理に用いる毛髪処理剤等を提供する。【解決手段】  ヒト毛髪から分離・精製されるゲル濾過カラムクロマトグラフィによる平均分子量測定値が１１０００である蛋白質量を、ＳＤＳ−ポリアクリルアミド電気泳動法を用いて視覚的に定性分析することによって、パーマネントウェーブ形成能を診断する。【選択図】  図１
2004286738.tif 000002
【特許請求の範囲】
【請求項１】
ヒト毛髪から分離・精製されるゲル濾過カラムクロマトグラフィによる平均分子量測定値が１１０００である蛋白質を、ＳＤＳ−ポリアクリルアミド電気泳動法を用いて視覚的に定性分析することによって、パーマネントウェーブ形成能を診断することを特徴とするパーマネントウェーブ形成能診断方法。
【請求項２】
ヒト毛髪から分離・精製されたゲル濾過カラムクロマトグラフィによる平均分子量測定値が１１０００の蛋白質を配合したものであることを特徴とする毛髪処理剤。
【請求項３】
ヒト毛髪から分離・精製されたゲル濾過カラムクロマトグラフィによる平均分子量測定値が１１０００の蛋白質および９７００の蛋白質を含有する分子量８０００〜１２０００の蛋白質組成物を配合したものであることを特徴とする毛髪処理剤。
【請求項４】
請求項２または３に記載の毛髪処理剤を、毛髪に付与することによって、毛髪のパーマネントウェーブ形成能を修復・改善することを特徴とする毛髪処理方法。
【発明の詳細な説明】
【技術分野】
【０００１】
本発明は、化学的処理を伴う理・美容処理により低下する毛髪のパーマネントウェーブ形成能を診断する方法、および毛髪のパーマネントウェーブ形成能を修復・改善する為の毛髪処理方法、並びにこうした毛髪処理に用いる毛髪処理剤等に関するものである。
【背景技術】
【０００２】
毛髪は様々な要因によって損傷を受けており、その損傷の程度を把握することは毛髪の健常化を図る上でも重要な事項である。毛髪損傷の評価は、健常な毛髪が有する物性や官能的特性を基準に評価されるのが一般的である。毛髪の物性については、毛髪の引張り破断強度、毛髪表面の滑り摩擦抵抗による表面の滑らかさ、電子顕微鏡によるキューティクルの状態等によって評価されている。また官能的特性については、毛髪のツヤや色の目視評価、手触り感によるハリ、コシ、パサツキ等から毛髪の損傷度合いを総合的に把握することが行われている。
【０００３】
ところで、理・美容処理としては、パーマネントウェーブ処理、ヘアカラー処理、ブリーチ（脱色）処理等、化学反応を伴う様々な処理が行われている。このうちパーマネントウェーブ処理は、還元剤を主成分として含むアルカリ性溶液をパーマネントウェーブ第1剤として毛髪に浸透させ、所望のウェーブを得るためにロッド等に巻きつけて一定時間放置し、毛髪ケラチンのジスルフィド結合を開裂させた後、臭素酸ナトリウム、過酸化水素等の酸化剤を主成分とするパーマネントウェーブ第２剤により、新たな位置でジスルフィド結合を再結合させ、ウェーブを固定化させるものである。この処理は、処理前の毛髪とは異なる半永久的なカール状の変形を得る方法である（例えば、非特許文献１参照）。
【０００４】
近年、ヘアカラーブームもあり、ブリーチ処理またはブリーチを伴う処理の頻度が増加してきている。このブリーチ処理は、過酸化水素によって毛髪中のメラニン色素を分解することによって毛髪の脱色を行うものであり、還元および酸化過程を経るパーマネントウェーブ処理とは毛髪に与える損傷の性質が異なるものである。
【０００５】
上記のようなパーマネントウェーブ処理、ヘアカラー処理、ブリーチ処理等の化学反応を伴う様々な処理は、繰り返して行われることになるが、それにつれて毛髪の損傷が激しくなり、パーマネントウェーブ処理によるウェーブ形成が困難になってくるのが実状である。実際のところ、理・美容室では明るく脱色された毛髪にヘアカラー処理をする習慣が広がっており、パーマネントウェーブ処理においては目的とするウェーブが得られないうえ、パーマネントウェーブ第１剤のアルカリ剤と還元剤の作用により毛髪の損傷だけが進行してしまうという問題がある。
【０００６】
その結果、毛髪の保湿性、柔軟性、毛髪表面の平滑性などが失われ、毛髪のパサツキ、枝毛、切れ毛を発生させたり、毛髪の光沢や手触り感が損なわれるなど、物性や感触の低下に伴い、毛髪に良好なパーマネントウェーブが得られないという問題があった。
【０００７】
また従来の毛髪診断法では、毛髪への化学的処理を伴う理・美容処理の影響を予測することが困難であり、ヘアカラー処理やブリーチ処理を施した損傷毛に安心してパーマネントウェーブ処理を施すことのできる方法が必要になっている。
【０００８】
化学的処理を伴う理・美容処理により損傷した毛髪の特異性に着目した診断法として、処理後の毛髪と特異的に吸着する成分により診断する方法も開発されてきている（例えば、特許文献１、特許文献２参照）。しかしながらこれらの方法は、ヘアカラー処理、ブリーチ処理、パーマネントウェーブ処理等の理・美容工程における損傷要因の測定にとどまるものであり、根本的な解決策には至っていない。
【０００９】
また、毛髪内から自然流出する蛋白質と特異的に結合する抗体を指標とした毛髪の診断結果に基づき毛髪の改質や修復を行う方法も提案されている（例えば、特許文献３参照）。しかしながらこの技術は、毛髪の物理的な損傷やパーマネントウェーブ処理による化学的損傷を中心に毛髪から自然流出しやすくなった蛋白質に着目しているものであり、ヘアカラー処理、ブリーチ処理を伴う理・美容処理により低下する毛髪のパーマネントウェーブ形成能については正確に把握できないのが実状である。
【非特許文献１】日本パーマネントウェーブ液工業組合編著「サイエンス  オブ  ウェーブ」新美容出版株式会社、２００２年４月１０日発行、第１３〜３１頁
【特許文献１】特開平８−１０１１９３号公報  特許請求の範囲等
【特許文献２】特開平９−１２７１０５号公報  特許請求の範囲等
【特許文献３】特開平６−２６５５４４号公報  特許請求の範囲等
【発明の開示】
【発明が解決しようとする課題】
【００１０】
本発明はこうした状況の下でなされたものであり、その目的は、化学的処理を伴う理・美容処理により低下する毛髪のパーマネントウェーブ形成能を診断する方法、および毛髪のパーマネントウェーブ形成能を修復・改善する為の毛髪処理方法、並びにこうした毛髪処理に用いる毛髪処理剤等を提供することにある。
【課題を解決するための手段】
【００１１】
上記目的を達成することができた本発明のパーマネントウェーブ形成能診断方法とは、ヒト毛髪から分離・精製されるゲル濾過カラムクロマトグラフィによる平均分子量測定値が１１０００である蛋白質を、ＳＤＳ（ドデシル硫酸ナトリウム）−ポリアクリルアミド電気泳動法を用いて視覚的に定性分析することによって、パーマネントウェーブ形成能を診断する点に要旨を有するものである。尚、本発明における平均分子量とは、「質量平均分子量」の意味である。
【００１２】
一方、本発明の毛髪処理剤とは、ヒト毛髪から分離・精製されたゲル濾過カラムクロマトグラフィによる平均分子量測定値が１１０００の蛋白質を配合したものである点に要旨を有するものである。また、本発明の毛髪処理剤としては、ヒト毛髪から分離・精製されたゲル濾過カラムクロマトグラフィによる平均分子量測定値が１１０００の蛋白質および９７００の蛋白質を含有する分子量８０００〜１２０００の蛋白質組成物を配合したものも有用である。上記のような毛髪処理剤を、毛髪に付与することによって、毛髪のパーマネントウェーブ形成能を修復・改善することができる。
【発明の効果】
【００１３】
本発明では、ヒト毛髪から分離・精製されるゲル濾過カラムクロマトグラフィによる平均分子量測定値が１１０００である蛋白質を用いることによって、化学的処理を伴う理・美容処理により低下する毛髪のパーマネントウェーブ形成能を診断する有用な方法、および毛髪のパーマネントウェーブ形成能を修復・改善する為の毛髪処理方法、並びにこうした毛髪処理に用いる毛髪処理剤等が実現できた。
【発明を実施するための最良の形態】
【００１４】
ブリーチ処理を繰り返し受けた毛髪はパーマネントウェーブ形成能と毛髪強度が低下することになるのであるが、パーマネントウェーブ処理を繰り返し受けた毛髪は毛髪強度こそ低下するがパーマネントウェーブ形成能はそれほど低下しない。本発明者はこうした現象が生じる原因について、特に処理前・後の毛髪の蛋白質構成について検討した。その結果、健常毛やパーマネントウェーブ繰り返し処理毛中には平均分子量１１０００の蛋白質が本来存在しているが、ブリーチ処理毛中にはその蛋白質（以下、「特定蛋白質」と呼ぶことがある）の存在が認められないことが判明した。またブリーチ処理回数が増加し、毛髪損傷が進行すると共にこの特定蛋白質が減少することから、この蛋白質はブリーチ処理とパーマネントウェーブ処理による損傷の違いを考察する重要な因子であることが予測された。そして、この特定蛋白質の流出・欠損の程度がパーマネントウェーブ形成能と相関することから、この流出・欠損の程度を測定することによってパーマネントウェーブ形成能を診断できることを見出した。
【００１５】
本発明で対象とする特定蛋白質は、ヒト毛髪を過酸化水素によりブリーチ処理することによって流出・欠損する毛髪蛋白質に含まれるものである。従って、この特定蛋白質は、ヒト毛髪から分離・精製することができるが、ゲル濾過カラムクロマトグラフィによる平均分子量測定値が１１０００のものであって、下記表１に示されるアミノ酸組成によって特定されるものである。尚、この特定蛋白質は、パーマネントウェーブ繰り返し処理によっては欠損しないものである。
【００１６】
【表１】
2004286738.tif 000003
【００１７】
上記のような物性を有する特定蛋白質の存在を、ＳＤＳ−ポリアクリルアミド電気泳動法を用いて視覚的に定性分析することによって、毛髪のパーマネントウェーブ形成能が診断できる。具体的には、パーマネントウェーブ処理をしようとする頭髪の一部をサンプリングし、毛髪構成蛋白質を分画後、Ｔｒｉｃｉｎｅ−ＳＤＳ−ポリアクリルアミド電気泳動法により平均分子量が１１０００の特定蛋白質の存在を蛋白質バンドから視覚的に定性分析することによりパーマネントウェーブ形成能を診断できる。尚、本発明の特定蛋白質が完全に欠損するまで損傷を受けた毛髪は、パーマネントウェーブ剤によってウェーブを形成し難いことが判定でき、これ以上の損傷をさせない判断を可能にした。
【００１８】
上記のような特定蛋白質を配合して毛髪処理剤を調製することによって、毛髪から欠損したパーマネントウェーブ形成能を修復・回復する毛髪処理剤が実現できる。こうした毛髪処理剤を理・美容処理の工程で使用して毛髪に付与することによって、ウェーブを形成し難くなった損傷毛髪にパーマネントウェーブ形成能を修復・改善することができる。
【００１９】
本発明者は、毛髪中に含まれる蛋白質として、複数回のブリーチ処理によっても毛髪から流出・欠損しない蛋白質が存在することも確認している。この蛋白質はゲル濾過カラムクロマトグラフィによる平均分子量測定値が９７００のものであって、下記表２に示されるアミノ酸組成によって特定されるものである。
【００２０】
【表２】
2004286738.tif 000004
【００２１】
上記の結果から、次のように考察できた。複数回のブリーチ処理を受けても毛髪中に残存する蛋白質（平均分子量９７００の蛋白質）はプロリンを多く含むものであり、このプロリンを多く含む蛋白質の立体構造は非常に強固で破壊され難いといわれている。従って、毛髪にブリーチ処理を複数回繰り返し施しても、この蛋白質が毛髪から欠損せずに残っていた原因は、この蛋白質におけるプロリンを多く含む性質がその一因であると推察できた。これに対して、ブリーチ処理によって徐々に欠損する特定蛋白質はグリシンやチロシンを多く含むものであり、これらのアミノ酸は蛋白質の立体構造における折り返し部位に多く存在するといわれている。従って、欠損する特定蛋白質は折り返し部位を多く含む球状蛋白質であると推察できる。球状蛋白質はその形状から緩和な反応により影響を受けると考えられるため、この特定蛋白質がブリーチ処理によって欠損、即ち毛髪から溶出するものと推察される。
【００２２】
尚、上記各毛髪蛋白質溶液の調製および電気泳動による蛋白質の確認、各蛋白質の精製、分子量測定、アミノ酸組成の分析は、下記の夫々の方法によるものである。
【００２３】
（特定蛋白質を含む毛髪蛋白質溶液の調製方法）
本発明における蛋白質組成物は、毛髪から製造、調製することができる。毛髪からの構成蛋白質の抽出（分画）は、従来の２−メルカプトエタノールによる還元処理を利用した方法（例えば、「Ｊｏｕｒｎａｌ  ｏｆ  Ｃｏｓｍｅｔｉｃ  Ｓｃｉｅｎｃｅ」１９９８年、４９巻、第１３〜２２頁）が適切である。本発明に応用した抽出方法を下記に示す。
【００２４】
ブリーチ処理及びパーマネントウェーブ処理を受けた経験のない毛髪０．２ｇ（長さ１６ｃｍ）を脱脂用剤（クロロホルム／メタノール＝２／１：容積比）に２４時間浸漬させることにより、毛髪表面を脱脂処理した。処理後の毛髪をドライヤにより十分乾燥させ、約１ｃｍの長さに切断した。切断後の毛髪をビーカに入れ、毛髪蛋白質分画抽出液［２．５ｍｏｌ／Ｌ（リットル）の２−メルカプトエタノールと１％のＳＤＳを含む０．０２５ｍｏｌ／Ｌのトリス塩酸バッファ、ｐＨ８．３］２０ｍＬと良く混合させ、５０℃、７２時間の条件下で浸漬させた。
【００２５】
浸漬処理後の溶液を透析チューブ（分子量８０００用、ナカライテスク製）に入れ、イオン交換水を外液とし１６時間以上（外液交換４回）の透析を行った。透析後のチューブ内液（分子量８０００以上）を攪拌式セル（分子量３０００以上用、ミリポア製）による限外濾過処理で濃縮した。濃縮により蛋白質濃度が０．１〜１．５ｍｇ／ｍＬに調整された試料を本発明の毛髪蛋白質溶液（特定蛋白質を含む）として得た。
【００２６】
（毛髪蛋白質溶液のＴｒｉｃｉｎｅ−ＳＤＳ−ポリアクリルアミド電気泳動法
による蛋白質のバンド確認方法）
毛髪蛋白質溶液と試料バッファ（０．５ｍｏｌ／Ｌのトリス塩酸バッファを２ｍＬ、１０％のＳＤＳ溶液を４ｍＬ、２−メルカプトエタノールを１．２ｍＬ、グリセロールを２ｍＬ、イオン交換水を０．８ｍＬ、１％ＢＰＢ（ブロモフェノールブル）を数滴加え、全量１０ｍＬにする）を１：１の割合で混合し、３分間、９５℃という条件で熱変性させ、電気泳動用試料とした。
【００２７】
下記の組成で予め作製しておいたゲルに試料をアプライし、５０ｍＡの定電流で電気泳動を行った。尚、泳動バッファの組成は、陽極のバッファとして０．２ｍｏｌ／ＬのＴｒｉｓ（ｐＨ８．９）を、陰極のバッファとして０．１ｍｏｌ／ＬのＴｒｉｓと０．１ｍｏｌ／ＬのＴｒｉｃｉｎｅ、０．１％のＳＤＳ溶液の混合溶液（ｐＨ８．２５）を使用した。泳動終了後、ゲルをＣＢＢ（クマシーブリリアントブル）染色液にて蛋白質バンドを染色し、エタノール／酢酸／イオン交換水を組成［エタノール／酢酸／イオン交換水＝３／１／６：容積比］とする脱色液で蛋白質以外のゲル部位を脱色した。そして、Ｔｒｉｃｉｎｅ−ＳＤＳ−ポリアクリルアミド電気泳動法によって、分子量が１１０００の位置にバンドがあることを再度確認した（例えば、「Ａｎａｌｙｔｉｃａｌ  Ｂｉｏｃｈｅｍｉｓｔｒｙ」１９８７年、１６６巻、第３６８〜３７９頁）。
【００２８】
（分離ゲル）
アクリルアミド溶液（４８％のアクリルアミドと１．５％のビスアクリルアミド）を６ｍＬ、ゲルバッファ（３．０ｍｏｌ／ＬのＴｒｉｓと０．３％のＳＤＳ溶液の混合液、ｐＨ８．４５）を１０ｍＬ、グリセロールを４ｍＬ、１０％過硫酸アンモニウムを０．１５ｍＬ、ＴＥＭＥＤ（Ｎ，Ｎ，Ｎ'，Ｎ'−テトラメチルエチレンジアミン）を０．１５ｍＬ、残部イオン交換水からなる分離ゲルを作製した（全量３０ｍＬ）。
【００２９】
（濃縮ゲル）
アクリルアミド溶液（４８％のアクリルアミドと１．５％のビスアクリルアミド）を１ｍＬ、ゲルバッファ（３．０ｍｏｌ／ＬのＴｒｉｓと０．３％のＳＤＳ溶液の混合液、ｐＨ８．４５）を３．１ｍＬ、１０％過硫酸アンモニウムを０．０７５ｍＬ、ＴＥＭＥＤ（Ｎ，Ｎ，Ｎ'，Ｎ'−テトラメチルエチレンジアミン）を０．００５ｍＬ、残部イオン交換水からなる濃縮ゲルを作製した（全量１２．５ｍＬ）。
【００３０】
（蛋白質の精製）
カラム内部の樹脂には、ＤＥＡＥ（ジエチルアミノエチル）−セルロース（ナカライテスク製）を用いた。精製方法について下記に述べる。上記樹脂をカラム内に充填し、酸およびアルカリによる洗浄を行った後、イオン交換水によりカラム内を平衡化する。平衡化されたカラム内に上記毛髪蛋白質溶液を徐々にアプライする。アプライ後、０．１〜０．５ｍｏｌ／Ｌの塩でイオン勾配処理を行うことにより、目的の蛋白質を溶離させるという一般的な蛋白質精製方法により、毛髪蛋白質溶液の蛋白質を分離した。
【００３１】
（分子量測定）
ゲル濾過カラムクロマトグラフィによる分子量測定を下記に述べる。高速液体カラムクロマトグラフとして「Ｓｈｉｍａｄｚｕ  Ｌｉｑｕｉｄ  ｃｈｒｏｍａｔｏｇｒａｐｈ  ＬＣ−６Ａ」（島津製作所製）を用い、検出器として「Ｓｈｉｍａｄｚｕ  ＵＶ−ＶＩＳ  Ｓｐｅｃｔｒｏｐｈｏｔｏｍｅｔｒｉｃ  ｄｅｔｅｃｔｏｒ  ＳＰＤ−６ＡＶ」（島津製作所製）を用い、レコーダーとして「Ｓｈｉｍａｄｚｕ  Ｃｈｒｏｍａｔｏｐａｃ  Ｃ−Ｒ６Ａ」（島津製作所製）を用い、ガードカラムとして「ＴＳＫ−ＧＥＬ  Ｇｕａｒｄ  Ｃｏｌｕｍｎ  ＳＷ  ７．５×７．５（ｍｍ）」（東ソー製）を用い、カラムとして「ＴＳＫ−ＧＥＬ  Ｇ３０００ＳＷ  ７．５×６００（ｍｍ）」（東ソー製）を用いた。
【００３２】
実験試料として複数回のブリーチ処理により欠損する蛋白質と残存する蛋白質を用いた。分析方法は、上記の機器および試料を用いて、流速０．５ｍＬ／ｍｉｎ、測定波長２８０ｎｍの条件下で、溶出バッファ（０．１ｍｏｌ／ＬのＮａＨ２ＰＯ４／Ｎａ２ＨＰＯ４（ｐＨ７．０）＋０．１ｍｏｌ／ＬのＮａ２ＳＯ４）を使用し分析を行った。尚、この分子量測定は、分子量が既知の標準マーカとして、グルタミン酸脱水素酵素（分子量２９００００）、乳酸脱水素酵素（分子量１４２０００）、エノラーゼ（分子量６７０００）、アデニル酸キナーゼ（分子量３２０００）、チトクロームｃ（分子量１２４００）を用いて測定したものである。
【００３３】
（アミノ酸組成分析）
測定機器として、アミノ酸分析計「Ｈｉｔａｃｈｉ  Ｌ−８５００  Ａｍｉｎｏ  ａｃｉｄ  ａｎａｌｙｚｅｒ」（日立製作所製）を用い、実験試料として、複数回のブリーチ処理により欠損する蛋白質と残存する蛋白質を用いて分析を行った。分析方法を下記に示す。測定試料０．５ｍＬと１２規定の濃塩酸０．５ｍＬをガラス管内で混合した後、１２０℃で１２時間加熱し、ガラス管が常温になるまで自然放置した。処理液を脱塩素処理した後、高温引圧乾燥機によって乾燥処理し粉末状とした。それをイオン交換水０．２ｍＬで良く溶解させ、分析試料とした。
【００３４】
本発明の毛髪処理剤を調製する際には、ヒト毛髪から分離・精製した平均分子量１１０００の特定蛋白質だけでなく、平均分子量が９７００の蛋白質も含有する分子量８０００〜１２０００の蛋白質組成物（夾雑物を含む毛髪分画蛋白質）の状態で毛髪から分離し、この蛋白質組成物を配合することによって毛髪処理剤を調製することにより、特定蛋白質の欠損する損傷毛の修復・パーマネントウェーブ形成能を回復する毛髪処理剤が実現できる。
【００３５】
尚、平均分子量が９７００の蛋白質は、パーマネントウェーブ形成能を回復する効果は認められないが、強度低下した毛髪の強度回復を促進する作用が認められているため、こうした蛋白質を含む毛髪処理剤を用いることによって、毛髪強度の回復も図ることができる。
【００３６】
本発明における毛髪処理法においては、上記構成の毛髪処理剤を用いて損傷した毛髪を修復し、パーマネントウェーブ形成能を回復する用途において、理・美容施術上のあらゆる工程で使用できるものである。
【００３７】
本毛髪診断法に基づき、ブリーチ損傷毛に対してパーマネントウェーブ処理を行うに当たり、本発明の特定蛋白質あるいは特定蛋白質を含む蛋白質組成物を二浴式パーマネントウェーブの前処理として、またはパーマネントウェーブ第１剤に混合して適用することができる。この処理により、毛髪の損傷が認められているにも関わらず、パーマネントウェーブ形成能を、損傷を受ける前の健常な毛髪に近い状態のウェーブ形成能に回復させることができる。
【００３８】
本発明の毛髪処理剤の一例として、パーマネントウェーブ処理剤が挙げられる。こうしたパーマネントウェーブ処理剤として使用する場合には、少なくとも特定蛋白質を含むパーマネントウェーブ第１剤を毛髪に付与し、ロッド等に巻き一定時間（１〜３０分間）放置することにより毛髪強度低下を極力抑え、且つ高いウェーブ効果を得ることができる。
【００３９】
こうしたパーマネントウェーブ処理剤を用いてパーマネントウェーブ処理を行うに当たり、毛髪損傷診断に応じて毛髪に適した濃度の還元剤、アルカリ剤を主成分としたパーマネントウェーブ第１剤が調製できる。二浴式パーマネントウェーブの第１剤として使用することを基本とし、酸化剤を含む第２剤と組み合わせて処理し、所望のウェーブを得ることができる。パーマネントウェーブ第２剤では、臭素酸カリウム、臭素酸ナトリウム、過ホウ酸ナトリウム、過酸化水素などの酸化剤が必須成分として配合される。
【００４０】
本発明の毛髪処理剤は、上記パーマネントウェーブ処理剤に限らず、毛髪への付与形態、処理の方法により種々の毛髪処理剤を調製することができる。即ち、本発明の毛髪修復・ウェーブ形成能の回復効果を損なわない範囲で通常使用される成分を配合し、各種毛髪処理剤として使用することができる。こうした毛髪処理剤としては、理・美容室専用のヘアカラー処理剤やその前・後処理剤、毛髪改質剤、毛髪保護剤を始め、日常的に行う毛髪保護剤、毛髪改質を目的にしたトリートメント剤の他、シャンプー、リンス、スタイリング剤、ヘアコンデショナ、ヘアトリートメント等のヘアケア剤が挙げられる。
【００４１】
上記各種毛髪処理剤には、本発明の効果を妨げない範囲において、必要に応じて他の成分、例えば無機の陽イオン、還元剤、多価アルコール、低級アルコール、ヒドロキシカルボン酸、モノエタノールアセトアミド、尿素等の毛髪ケラチン親和剤、アルカリ剤、ｐＨ調整剤、カチオン性、両性または非イオン性の高分子若しくは低分子の界面活性剤、高級アルコール、ペプチドおよびペプチド誘導体、アミノ酸、セラミド、リン脂質、植物由来蛋白質、シリコーンおよびシリコーン誘導体、各種染料、金属イオン封鎖剤、防腐剤、紫外線吸収剤、酸化防止剤、香料等を適宜配合することができる。
【００４２】
本発明の毛髪処理剤は、毛髪を日常的に手入れしながら修復効果を得るために用いることができ、その剤型は液状、ミスト状、クリーム状、ゲル状、泡状、エアゾール状など種々のタイプが可能で、特に限定されるものではない。
【実施例】
【００４３】
次に、実施例によって本発明をより具体的に示すが、下記実施例は本発明を制限するものではなく、前・後記の趣旨を逸脱しない範囲で変更実施することは、全て本発明の技術的範囲に包含される。
【００４４】
実施例１
[パーマネントウェーブ形成能診断方法]
（ブリーチ損傷毛の作製およびパーマネントウェーブ形成能の評価）
化学的処理を全く受けていない毛髪に下記のブリーチ処理を０〜６回夫々繰り返し処理した各種処理毛を作製し、夫々の毛髪について下記のパーマネントウェーブ処理剤を用いてパーマネントウェーブ形成能を評価した。このときのウェーブ評価方法は下記の通りである。
【００４５】
（ブリーチ処理）
トーナーブリーチパウダ（粉末ブリーチ剤、中野製薬株式会社製）とキャラデコオキサイド０６（過酸化水素系酸化剤、中野製薬株式会社製）を１：３となるように混合したブリーチ剤を、毛髪に質量比１：１の割合で塗布し、３０℃、３０分間という条件下で処理した後、１０％のＳＤＳ溶液によって、洗浄し、その後乾燥した。
【００４６】
（パーマネントウェーブ処理剤）
カールＸ  シスポジット  ライト  [システイン系パーマネントウェーブ剤（第１剤、第２剤）中野製薬株式会社製]
（パーマネントウェーブ形成能評価）
ブリーチ処理した各毛髪を直径９ｍｍのロッドに巻きつけて、輪ゴムで固定し、これを上記パーマネントウェーブ第１剤に３０秒間浸漬させ、４０℃で１５分間放置した後、十分に水洗してから、パーマネントウェーブ第２剤に３０秒間浸漬させ、３０℃で１０分間放置した後、十分に水洗してから毛髪を吊るし、その自然長を比較することによってパーマネントウェーブ形成能について評価した（その長さが長くなるにつれて、パーマネントウェーブ形成能が低下する）。
【００４７】
図１は、ブリーチ処理回数の異なる毛髪のウェーブ形成能を自然長にて比較した図面代用写真である。図１に基づいて、ブリーチ処理をしていない健常毛に対してパーマネントウェーブ処理剤を用いてウェーブを形成したときの長さ（自然長）を１００％としたときに、各処理毛（ブリーチ処理回数の異なる毛髪）の長さを比較すると下記表３の通りとなり、ブリーチ処理回数が増えるにつれてパーマネントウェーブ形成能が低下していることがわかる。
【００４８】
【表３】
2004286738.tif 000005
【００４９】
上記で用いた処理毛（ブリーチ処理を０〜６回夫々繰り返し処理した毛髪）について前記の条件によって電気泳動を行い、形成されるバンドを確認した。その結果を図２（図面代用電気泳動写真）に示すが、ブリーチ処理回数が増加するにつれて平均分子量１１０００の特定蛋白質が毛髪中から減少していることがわかる。つまり、平均分子量が１１０００の特定蛋白質がウェーブ形成の保持性に関与し、これによりパーマネントウェーブ形成能を知る指標を得ることができた。
【００５０】
実施例２
（毛髪蛋白質溶液の調製）
試料Ａ：健常毛由来の毛髪蛋白質（平均分子量１１０００の特定蛋白質を含む）
ブリーチ処理及びパーマネントウェーブ処理を受けた経験のない毛髪０．２ｇ（長さ１６ｃｍ）を脱脂用剤（クロロホルム／メタノール＝２／１：容積比）に２４時間浸漬させることにより、毛髪表面を脱脂処理した。処理後の毛髪をドライヤにより十分乾燥させ、約１ｃｍの長さに切断した。切断後の毛髪をビーカに入れ、毛髪蛋白質分画抽出液（２．５ｍｏｌ／Ｌの２−メルカプトエタノールと１％のＳＤＳを含む０．０２５ｍｏｌ／Ｌのトリス塩酸バッファ、ｐＨ８．３）２０ｍＬと良く混合させ、５０℃、７２時間の条件下で浸漬させた。
【００５１】
浸漬処理後の溶液を透析チューブ（分子量８０００用、ナカライテスク製）に入れ、イオン交換水を外液とし１６時間以上（外液交換４回）の透析を行った。透析後のチューブ内液（分子量８０００以上）を攪拌式セル（分子量３０００以上用、ミリポア製）による限外濾過処理で濃縮した。濃縮により蛋白質濃度を１．０ｍｇ／ｍＬに調製した試料を「試料Ａ」とした。
【００５２】
試料Ｂ：過度のブリーチ処理毛由来の毛髪蛋白質（平均分子量１１０００の特定蛋白質
を含まない）
ブリーチ処理を５回受けた毛髪０．２ｇ（長さ１６ｃｍ）を脱脂用剤（クロロホルム／メタノール＝２／１：容積比）に２４時間浸漬させることにより、毛髪表面を脱脂処理した。処理後の毛髪をドライヤにより十分乾燥させ、約１ｃｍの長さに切断した。切断後の毛髪をビーカに入れ、毛髪蛋白質分画抽出液（２．５ｍｏｌ／Ｌの２−メルカプトエタノールと１％のＳＤＳを含む０．０２５ｍｏｌ／Ｌのトリス塩酸バッファ、ｐＨ８．３）２０ｍＬと良く混合させ、５０℃、７２時間の条件下で浸漬させた。
【００５３】
浸漬処理後の溶液を透析チューブ（分子量８０００用、ナカライテスク製）に入れ、イオン交換水を外液とし１６時間以上（外液交換４回）の透析を行った。透析後のチューブ内液（分子量８０００以上）を攪拌式セル（分子量３０００以上用、ミリポア製）による限外濾過処理で濃縮した。濃縮により蛋白質濃度を１．０ｍｇ／ｍＬに調製した試料を「試料Ｂ」とした。
【００５４】
[パーマネントウェーブ形成能回復評価]
上記のブリーチ処理を３回繰り返した毛髪を用い、上記試料Ａまたは試料Ｂを用いて前処理（毛髪を試料Ａまたは試料Ｂに６時間浸漬）し、その後、上記実施例１と同様にしてパーマネントウェーブ形成能を測定し、損傷毛髪におけるパーマネントウェーブ形成能の回復性について評価した。このとき、前記パーマネントウェーブ第１剤に試料Ａまたは試料Ｂを混合した溶液（カールＸ  シスポジット  ライトの第１剤：試料＝２：１容積比）を本発明実験のパーマネントウェーブ第１剤とし、二浴式パーマネントウェーブ剤による処理（第１剤および第２剤による処理）を行ったものについても、同様の実験を行った。尚、カールＸ  シスポジット  ライトの第１剤に１０％の本試料を配合した場合も、この検討と同様の検討結果になるが、混合試料による検討の方が特定蛋白質の効果が顕著に認められた。
【００５５】
図３は、各毛髪の自然長を比較して示した図面代用写真である。図３に基づいて、前処理をしていない毛髪に対してパーマネントウェーブ剤を用いてウェーブを形成したときの長さ（自然長）を１００％としたときに、各毛髪の長さを比較すると下記表４の通りとなり、平均分子量が１１０００の蛋白質を含む処理剤で処理（前処理およびパーマネントウェーブ第１剤を混合した毛髪処理剤による処理）した毛髪においてパーマネントウェーブ形成能が回復したことが分かる。尚、図３のＮｏ．１〜５のものは下記の処理を行ったものを夫々示している。
【００５６】
Ｎｏ．１：前処理なし
Ｎｏ．２：試料Ａ（平均分子量１１０００の特定蛋白質を含む）による前処理
Ｎｏ．３：試料Ｂ（平均分子量１１０００の特定蛋白質を含まない）による前
処理
Ｎｏ．４：試料Ａにパーマネントウェーブ第１剤を混合した毛髪処理剤による
処理
Ｎｏ．５：試料Ｂにパーマネントウェーブ第１剤を混合した毛髪処理剤による
処理
【００５７】
【表４】
2004286738.tif 000006
【００５８】
これらの結果から、ブリーチ処理を３回繰り返した毛髪（ブリーチ処理により特定蛋白質が欠損している）に対して、Ｎｏ．２またはＮｏ．４の処理を施すことで、Ｎｏ．１とＮｏ．３、Ｎｏ．５の処理と比較し、明らかなパーマネントウェーブ形成能の回復が認められた。つまり、回復が認められた両処理は、平均分子量が１１０００の特定蛋白質を含む処理であることから、平均分子量が１１０００の特定蛋白質がパーマネントウェーブ形成能の回復に有効であると示唆された。今回の処理により、損傷毛により低下したパーマネントウェーブ形成能を健常毛のパーマネントウェーブ形成能に近づけることができた。
【００５９】
（耐シャンプー性試験）
前記図３に示した各毛髪について、２０％ＳＤＳ溶液（６０℃）に１時間浸漬し、パーマネントウェーブ形成能の保持性（例えば、前記非特許文献１、第３４頁参照）について評価した。その結果を図４に示す（Ｎｏ．６〜１０が図３のＮｏ．１〜５に夫々対応する）。本発明の毛髪処理剤によるパーマネントウェーブ形成能回復効果において、耐シャンプー性試験でも平均分子量１１０００の特定蛋白質を含む処理が有効であることが認められたため、平均分子量１１０００特定蛋白質は毛髪の表面でなく毛髪の内部にまで浸透していることが考えられる。
【００６０】
（強度回復評価）
前記図３に示した毛髪のＮｏ．１〜３について、毛髪引張り強度試験法による破断強度を測定し、損傷毛に前処理を施したことによる強度回復評価を実施した。このときの破断強度測定方法は下記の通りである。尚、上記Ｎｏ．２で用いた試料Ａは平均分子量１１０００および９７００の蛋白質を含む蛋白質溶液であり、Ｎｏ．３で用いた試料Ｂは平均分子量１１０００の特定蛋白質が欠損し、平均分子量９７００の蛋白質の濃度が相対的に高くなっている蛋白質溶液である。
【００６１】
（破断強度の測定方法）
テンシロンＵＴＭ−ＩＩ−２０（オリエンテック製）を用い、上記の毛髪試料の水中における毛髪引張り試験を実施し破断強度測定を行った。尚、破断強度は、破断応力（ｃＮ）を毛髪の長さと重量から算出した繊度（ｄｔｅｘ）で割り算出した。この破断強度を測定することにより強度回復効果を評価した。
【００６２】
その結果を図５に示すが、平均分子量１１０００の蛋白質を含む蛋白質溶液で前処理した毛髪（Ｎｏ．２）の強度は、前処理を施していない毛髪（Ｎｏ．１）の強度よりも高かった。また、平均分子量９７００の蛋白質を含む蛋白質溶液で前処理した毛髪（Ｎｏ．３）の強度がこの試験の中で最も高かった。以上の結果より、平均分子量１１０００および９７００の蛋白質を含む蛋白質溶液（Ｎｏ．２）での処理も有効であるが、平均分子量１１０００の特定蛋白質が欠損し、平均分子量９７００の蛋白質の濃度が相対的に高くなっている蛋白質溶液（Ｎｏ．３）での処理もさらに有効であることがわかった。
【００６３】
実施例３
実施例２では、パーマネントウェーブ形成能が低下したブリーチ損傷毛に夾雑物を含む毛髪分画蛋白質を作用させる（パーマネントウェーブ前処理剤およびパーマネントウェーブ第１剤の添加剤として）ことで、パーマネントウェーブ形成能の回復効果が認められたものである。本発明者は、前記毛髪分画蛋白質をＤＥＡＥカラムクロマトグラフィにより精製し、平均分子量１１０００または平均分子量９７００の蛋白質のみからなる溶液を毛髪処理剤とし、ブリーチ損傷毛を処理したときの効果について確認した。
【００６４】
（毛髪蛋白質の調製）
実施例２によって得られた毛髪蛋白質分画抽出液をＤＥＡＥカラムクロマトグラフィによって精製し、平均分子量１１０００または平均分子量９７００の夫々の蛋白質のみからなる濃縮溶液（０．５ｍｇ／ｍＬ）を調製した。得られた蛋白質溶液はＴｒｉｃｉｎｅ−ＳＤＳ−ポリアクリルアミド電気泳動法によって夫々の蛋白質の分子量を確認した。以下では、平均分子量が９７００蛋白質溶液を「試料Ｃ」、平均分子量が１１０００の蛋白質溶液を「試料Ｄ」と呼ぶ。
【００６５】
（ブリーチ損傷毛の作製およびパーマネントウェーブ形成能評価）
実施例１に示した方法によって、ブリーチ処理を３回繰り返し施したブリーチ損傷毛を作製し、上記試料Ｃまたは試料Ｄを用いて前処理（毛髪を試料Ｃまたは試料Ｄに６時間浸漬）し、その後、上記実施例１と同様にしてパーマネントウェーブ形成能を測定し、損傷毛髪におけるパーマネントウェーブ形成能の回復性について評価した。このとき、前記パーマネントウェーブ第１剤に試料Ｃまたは試料Ｄを混合した溶液（カールＸ  シスポジット  ライトの第１剤：試料＝２：１容積比）を本実験のパーマネントウェーブ第１剤とし、二浴式パーマネントウェーブ剤による処理（第１剤および第２剤による処理）を行ったものについても、同様の実験を行った。尚、カールＸ  シスポジット  ライトの第１剤に１０％の本試料を配合した場合も、この検討と同様の検討結果になるが、混合試料による検討の方が特定蛋白質の効果が顕著に認められた。
【００６６】
図６は、各毛髪の自然長を比較して示した図面代用写真である。尚、図６のＮｏ．１１〜１４は、下記の処理を行ったものを夫々示している。
Ｎｏ．１１：試料Ｃ（平均分子量９７００の蛋白質溶液）による前処理
Ｎｏ．１２：試料Ｄ（平均分子量１１０００の蛋白質溶液）による前処理
Ｎｏ．１３：試料Ｃとパーマネントウェーブ第１剤を混合した溶液による処理
Ｎｏ．１４：試料Ｄとパーマネントウェーブ第１剤を混合した溶液による処理
Ｎｏ．１１のときの長さ（自然長）を１００％としたときに、Ｎｏ．１２の自然長は９４．３％であり、Ｎｏ．１３の自然長を１００％としたときに、Ｎｏ．１４の自然長は９３．３％となっていた。
【００６７】
これらの結果から、平均分子量が９７００の蛋白質溶液で処理した（Ｎｏ．１１、Ｎｏ．１３）ときよりも平均分子量１１０００の蛋白質溶液で処理した（Ｎｏ．１２、Ｎｏ．１４）ときの方が、ウェーブの自然長が短くなっており、平均分子量１１０００の特定蛋白質がパーマネントウェーブ形成能に深く関わっていることが示唆された。また、ウェーブの形成においてはパーマネントウェーブ前処理剤とするよりも、パーマネントウェーブ第１剤の構成成分として処理剤を添加することが好ましいことがわかる。尚、これらの結果は、前処理の浸漬時間が６時間としたものであるが、第１剤混合使用においてより好ましいウェーブが得られていることから、パーマネントウェーブ第１剤塗布の直前に処理を行っても同様の効果が得られることを示唆している。
【００６８】
実施例４
前記実施例２で用いた試料Ａを用い、下記表５に示す各種配合割合（処理例１〜３）で各種原料を配合して、各種ヘアワックスを調製し、各項目（１ヶ月間継続使用した場合のウェーブ形成能の回復性、ハリ・コシ感、強度回復性）について調査した。このときの、各項目の調査方法および評価基準は下記の通りである。
【００６９】
（１ヶ月間継続使用した場合のウェーブ形成能の回復性）
実施例１に示した方法によって、ブリーチ処理を３回繰り返し施したブリーチ損傷毛に各種処方例で配合した試料を１ヶ月間継続使用し、継続使用した毛髪に二浴式パーマネントウェーブ剤（カールＸ  シスポジット  ライト）による処理（第１剤および第２剤による処理）を行うことにより、１ヶ月間継続使用した場合のウェーブ形成能の回復性を調査し、下記の基準で視覚的に評価した。
◎：非常にウェーブ形成力が回復した。
○：ウェーブ形成力が回復した。
△：処理前の毛髪のウェーブ形成力と同程度であった。
×：処理前の毛髪のウェーブ形成力よりも低下した。
【００７０】
（１ヶ月間継続使用した場合のハリ・コシ感）
実施例１に示した方法によって、ブリーチ処理を３回繰り返し施したブリーチ損傷毛は、非常にハリ・コシ感を失っており、手触りが非常に悪くなっている。各種処理例で配合した試料を１ヶ月間継続使用し、処理後の毛髪のコンデションを官能的に評価することにより、１ヶ月間継続使用した場合のハリ・コシ感を調査し、下記の基準で評価した。
◎：非常にハリ・コシ感が回復した。
○：ハリ・コシ感が回復した。
△：処理前の毛髪のハリ・コシ感と同程度であった。
×：処理前の毛髪のハリ・コシ感よりも低下した。
【００７１】
（１ヶ月間継続使用した場合の強度回復性）
実施例１に示した方法によって、ブリーチ処理を３回繰り返し施したブリーチ損傷毛は、毛髪の破断強度が低下している。各種処理例で配合した試料を１ヶ月間継続使用し、上記図５で用いた破断強度試験を同様の方法により、１ヶ月間継続使用した場合の強度回復性を調査し、下記の基準で評価した。
◎：処理前の毛髪と比較し、１０％以上強度が回復した。
○：処理前の毛髪と比較し、１０％未満強度が回復した。
△：処理前の毛髪と比較し、同程度であった。
×：処理前の毛髪と比較し、強度が低下した。
【００７２】
その結果を下記表５に併記するが、試料Ａ（平均分子量１１０００の特定蛋白質を含む）を配合していない処方例２のみ１ヶ月継続使用後のウェーブ形成能の回復性、ハリ・コシ感、強度回復性が、他の処方例と比較して悪いという評価であった。即ち、ヘアワックスに試料Ａを配合することによって、１ヶ月間継続使用（毎日１回、毛髪全体への塗布）後のウェーブ形成能の回復性、ハリ・コシ感、強度回復性が向上することが分かる。
【００７３】
【表５】
2004286738.tif 000007
【００７４】
実施例５
前記実施例２で用いた試料Ａを用い、下記表６に示す各種配合割合（処理例１〜３）で各種原料を配合して、各種ヘアトリートメントを調製し、各項目（１ヶ月間継続使用した場合のウェーブ形成能の回復性、ハリ・コシ感、強度回復性）について、実施例４と同様にして調査した。
【００７５】
その結果を下記表６に併記するが、試料Ａ（平均分子量１１０００の特定蛋白質を含む）を配合していない処方例２のみ１ヶ月継続使用後のウェーブ形成能の回復性、ハリ・コシ感、強度回復性が、他の処方例と比較して悪いという評価であった。即ち、ヘアトリートメントに試料Ａを配合することによって、１ヶ月間継続使用（毎日１回、シャンプー後に使用）後のウェーブ形成能の回復性、ハリ・コシ感、強度回復性が向上することが分かる。
【００７６】
【表６】
2004286738.tif 000008
【００７７】
実施例６
前記実施例２で用いた試料Ａを用い、下記表７に示す各種配合割合（処理例１〜３）で各種原料を配合して、各種パーマネント前処理剤を調製し、各項目（ウェーブ形成能の回復性、ハリ・コシ感、強度回復性）について、実施例４と同様にして調査した。但し、本調査項目は、上記評価項目のように１ヶ月間継続使用せず。実施例１に示した方法によって、ブリーチ処理を３回繰り返し施したブリーチ損傷毛に各種パーマネントウェーブ前処理剤を毛髪に数分間処理し、毛髪に二浴式パーマネントウェーブ剤（カールＸ  シスポジット  ライト）による処理（第１剤および第２剤による処理）を行うことにより、パーマネントウェーブ処理後の評価を行った。
【００７８】
その結果を下記表７に併記するが、試料Ａ（平均分子量１１０００の特定蛋白質を含む）を配合していない処方例２のみウェーブ形成能の回復性、ハリ・コシ感、強度回復性が、他の処方例と比較して悪いという評価であった。即ち、パーマネントウェーブ前処理剤に試料Ａを配合することによって、パーマネントウェーブ処理後のウェーブ形成能の回復性、ハリ・コシ感、強度回復性が向上することが分かる。
【００７９】
【表７】
2004286738.tif 000009
【００８０】
実施例７
前記実施例２で用いた試料Ａを用い、下記表８に示す各種配合割合（処理例１〜３）で各種原料を配合して、各種パーマネント後処理剤を調製し、実施例１に示した方法によって、ブリーチ処理を３回繰り返し施したブリーチ損傷毛に、二浴式パーマネントウェーブ剤（カールＸ  シスポジット  ライト）による処理（第１剤および第２剤による処理）を行い、調製した各種パーマネントウェーブ後処理剤を毛髪全体に塗布し、ウェーブ形成力の保持性の評価を行った。このときにおけるウェーブ形成力の保持性の調査方法および評価基準は下記の通りである。
【００８１】
（ウェーブ形成力の保持性）
上記図４で用いた耐シャンプー性試験と同様の試験を、各種パーマネントウェーブ後処理剤で処理した後の毛髪で行い、下記の基準で評価した。
○：処方例２で処理した毛髪と比較し、ウェーブ形成力の保持効果が高まった。
△：処方例２で処理した毛髪と比較し、ウェーブ形成力の保持効果が若干高まった。
【００８２】
その結果を下記表８に併記するが、試料Ａ（平均分子量１１０００の特定蛋白質を含む）を配合していない処方例２のみウェーブ形成力の保持性が、他の処方例と比較し、保持効果が発揮されていないという評価であった。即ち、パーマネントウェーブ後処理剤に試料Ａを配合することによって、パーマネントウェーブ処理後のウェーブ形成力の保持性が向上することが分かる。
【００８３】
【表８】
2004286738.tif 000010
【図面の簡単な説明】
【００８４】
【図１】パーマネントウェーブ形成能評価結果を示す図面代用写真である。
【図２】ブリーチ処理を施した各種毛髪について電気泳動を行ったときの各バンドを示す図面代用電気泳動写真である。
【図３】パーマネントウェーブ形成能回復評価試験結果を示す図面代用写真である。
【図４】耐シャンプー性試験結果を示す図面代用写真である。
【図５】破断強度の測定結果を示すグラフである。
【図６】パーマネントウェーブ形成能回復評価試験の他の結果を示す図面代用写真である。
【図１】
2004286738.tif 000011
【図２】
2004286738.tif 000012
【図３】
2004286738.tif 000013
【図４】
2004286738.tif 000014
【図５】
2004286738.tif 000015
【図６】
2004286738.tif 000016